(57)【特許請求の範囲】
【請求項１】
内部アクセスポイントＡＰ、及び内部ステーションＳＴＡを備えるモバイルＡＰに適応されるチャネル占有方法であって、
前記チャネル占有方法は、前記内部ＡＰにおいてチャネル占有期間を事前に設定するステップを備え、各チャネル占有期間は第一期間を備え、かつ、前記第一期間はＡＰチャネル占有期間を備え、
前記方法はさらに、
前記内部ＡＰが前記ＡＰチャネル占有期間の始端を検出する時、データ送信を行うために前記ＡＰチャネル占有期間においてチャネルを独占的に占有するステップを備え、
前記内部ＡＰは少なくとも一つの外部ＳＴＡに接続され、
前記方法はさらに、
前記内部ＳＴＡ、及び前記外部ＳＴＡにおいて事前にチャネル占有期間を設定するステップを備え、
各チャネル占有期間は第一期間を備え、前記第一期間は競合期間をさらに備え、
前記内部ＳＴＡ、及び前記外部ＳＴＡが前記競合期間の始端を検出する時、前記競合期間においてデータ送信を行うために、チャネル競合においてＤＣＦ方式(distributed coordination function method)を採用し、
前記チャネル占有期間を設定するための方法は、外部ＳＴＡの数に基づいて前記ＡＰチャネル占有期間の継続期間、及び前記競合期間の継続期間を設定し、
前記外部ＳＴＡの数が１である時、前記ＡＰチャネル占有期間の継続期間の、前記競合期間の継続期間に対する比が１：１であり、前記外部ＳＴＡの数が２以上である時、前記ＡＰチャネル占有期間の継続期間の、前記競合期間の継続期間に対する比が３：２であるチャネル占有方法。
【請求項２】
前記ＡＰチャネル占有期間の継続期間、及び前記競合期間の継続期間を示すために使用される外部命令を受信するステップと、
前記外部命令に基づいて、前記ＡＰチャネル占有期間の継続期間、及び前記競合期間の継続期間を設定するステップと
をさらに備える請求項１に記載の方法。
【請求項３】
ポータブルワイヤレスアクセスポイントＡＰ装置であって、
前記装置は内部ＡＰ、及び内部ステーションＳＴＡを備え、
前記内部ＳＴＡは外部ＡＰを介してインターネットへ接続し、かつ、前記内部ＡＰは前記内部ＳＴＡ、及び外部ＳＴＡを介してインターネットに接続し、かつ、前記内部ＡＰは、第一設定モジュール、及び第一送信モジュールを備え、
前記第一設定モジュールは、前記内部ＡＰにおいてチャネル占有期間を事前に設定するように適応され、各チャネル占有期間は第一期間を備え、かつ、前記第一期間はＡＰチャネル占有期間を備え、
前記第一送信モジュールは、前記チャネル占有期間を検出するため、かつ、チャネル占有期間において前記ＡＰチャネル占有期間の始端が検出される時、データ送信を行うように前記ＡＰチャネル占有期間においてチャネルを独占的に占有するために適応され、
前記内部ＳＴＡは、第二設定モジュール、及び第二送信モジュールをさらに備え、
前記第二設定モジュールは、前記内部ＳＴＡにおいてチャネル占有期間を事前に設定するために適応され、各チャネル占有期間は第一期間を備え、前記第一期間は競合期間をさらに備え、
前記第二送信モジュールは、前記チャネル占有期間を検出するように、かつ、前記チャネル占有期間において前記競合期間の始端が検出される時、前記競合期間においてデータ送信を行うように、チャネル競合においてＤＣＦ方式(distributed coordination function method)を採用するように適応され、
前記第二設定モジュールは、前記内部ＳＴＡにおいて前記チャネル占有期間を設定するために、外部ＳＴＡの数に基づいて前記ＡＰチャネル占有期間の継続期間、及び前記競合期間の継続期間を設定するように適応され、
前記外部ＳＴＡの数が１である時、前記ＡＰチャネル占有期間の継続期間の、前記競合期間の継続期間に対する比が１：１であり、前記外部ＳＴＡの数が２以上である時、前記ＡＰチャネル占有期間の継続期間の、前記競合期間の継続期間に対する比が３：２であるポータブルワイヤレスアクセスポイントＡＰ装置。
【請求項４】
受信モジュールをさらに備え、前記受信モジュールは外部命令を受信するために適応され、かつ、前記外部命令は前記ＡＰチャネル占有期間の継続期間、及び前記競合期間の継続期間を示すために使用され、
前記第一設定モジュール、及び前記第二設定モジュールは、前記外部命令に基づいて前記ＡＰチャネル占有期間の継続期間、及び前記競合期間の継続期間を設定する請求項３に記載の装置。
【発明の詳細な説明】
【技術分野】
【０００１】
本発明は無線通信、特にチャネル占有方法(channel occupying method)、モバイルＡＰ(mobile AP)、及び外部ＳＴＡ(external STA)に関する。
【背景技術】
【０００２】
無線通信技術の発達により、モバイルアクセスポイント(AP, Access Point)は、徐々に、広く利用されてきており、ＡＰとステーション(STA, Station)の両方の機能を持ち（ＳＴＡはワイヤレスネットワークのクライアントであり、ＡＰはさらにワイヤレスアクセスノード(wireless access node)または、ホットスポット(hot spot)のことを指す。）、ＳＴＡがインターネットへ接続可能となるように使用される。例えば、携帯電話は共通モバイルＡＰ(common mobile AP)となることができ、これはインターネットサーフィンのためのクライアント装置として働くＳＴＡの機能も備える。一方で、いくつかのスマート携帯電話は、さらにいくつかのクライアント装置に外部接続され、他のクライアント装置にインターネットサーフィンの機能を提供するために使われるＡＰの機能も備える。
【０００３】
従来技術でのモバイルＡＰが図１に紹介される。図１は従来技術でのモバイルＡＰのブロック図であり、モバイルＡＰ１０１は内部ＡＰ１０２、及び内部ＳＴＡ１０３を備える。
【０００４】
内部ＳＴＡ１０３は外部ＡＰ１０４へ接続され、内部ＳＴＡ１０３は外部ＡＰ１０４を介してインターネットへ接続する。内部ＳＴＡ１０３は、モバイルＡＰ１０１のインターネットサーフィン機能を実行するためのメイン機能モジュールであり、並びに、内部ＳＴＡ１０３は、それ以上に他のクライアント装置へ外部接続されることはないことに注意すべきである。
【０００５】
内部ＡＰ１０２は複数のクライアント装置へ外部接続が可能で、他のクライアント装置へインターネットサーフィン機能を提供するために使用される。一般的に外部クライアント装置の数は１〜３であり、ここでは３つの外部クライアント装置のみが図１に用いられている。図１に示されるように、内部ＡＰ１０２は第一外部ＳＴＡ１０５、第二外部ＳＴＡ１０６、及び第三外部ＳＴＡ１０７に同時に接続される。一方で、内部ＡＰ１０２は、さらに内部ＳＴＡ１０３に接続され、かつ、第一外部ＳＴＡ１０５、第二外部ＳＴＡ１０６、及び第三外部ＳＴＡ１０７が、内部ＳＴＡ１０３、及び内部ＳＴＡ１０３に接続される外部ＡＰ１０４を介してインターネットに接続できるように使用される。
【０００６】
内部ＡＰ１０２及び、外部ＡＰ１０４は同様の機能を持ち、二つともがインターネットのためのＳＴＡを利用可能にするために使われることに注意すべきである。内部ＳＴＡ１０３、第一外部ＳＴＡ１０５、第二外部ＳＴＡ１０６、及び第三外部ＳＴＡ１０７は同様の機能、構造を持ち、かつ全てワイヤレスネットワークのクライアントである。
【０００７】
内部ＡＰ１０２、内部ＳＴＡ１０３、第一外部ＳＴＡ１０５、第二外部ＳＴＡ１０６、及び第三外部ＳＴＡ１０７は、すべて外部ＡＰ１０４を介してインターネットへ接続し、もし、内部ＡＰ１０２、内部ＳＴＡ１０３、第一外部ＳＴＡ１０５、第二外部ＳＴＡ１０６、及び第三外部ＳＴＡ１０７が、すべて独立のステーションと見なされるならば、それぞれのステーションはネットワークデータ送信を行うために同じチャネルを先取する。
【０００８】
以下では、内部ＡＰ１０２を例として用いることで、従来技術でのチャネル先取方法を具体的に説明する。
【０００９】
ＡＰ１０２においてチャネル占有期間が事前に設定される。図２は従来技術でのチャネル占有期間の概略図である。図２は１つのチャネル占有期間のみを示すが、チャネル占有期間の構造は完全に等しい。図２に示すように、チャネル占有期間は、第一期間Ｔ１及び、第二期間Ｔ２を含み、第一期間Ｔ１において各ステーションには、チャネル占有を行うためにＤＣＦ(Distributed Coordination Function, DCF)方式を採用する。また前記方式は、衝突回避を伴うキャリアモニター多元接続(carrier monitor multiple access)のための方法とも呼ばれる。第二期間Ｔ２は遅延時間であり、これは隣り合う占有期間において第一期間Ｔ１との間にスペースをとるために用いられる。そして、第二期間Ｔ２の終了後、プロセスは次のチャネル占領期間に入る。つまり、このサイクルが同様に繰り返される。
【００１０】
チャネル占有期間である第一期間Ｔ１の始端を検出するとき、内部ＡＰ１０２は他のステーションに対してチャンネルを先取するために、ＤＣＦ方式の適応を開始する。前記ＤＣＦ方式は具体的には次のようである。内部ＡＰ１０２は、他のステーションがデータパケットを送信しているかどうかを検出するために、ネットワークのアイドル状態をモニターする。もし、ネットワークがアイドル状態にあるならば、内部ＡＰ１０２はデータパケットを送信するためにチャネルを占有する。またもし、ネットワークがビジー状態ならば、内部ＡＰ１０２は引き続き現在のデータパケットの送信を監視し続ける。現在のデータパケットの送信終了後、内部ＡＰ１０２はさらにタイムインターバルを引き続き待ち、前記タイムインターバルが終了したとき、もし、まだどのステーションもデータパケットの送信をしていないならば、内部ＡＰ１０２は送信を行うためのチャネルを占有することができる。
【００１１】
他のステーションについても、以上の方法がチャネルを占有するために適応される。
【００１２】
従来技術では、データパケットのサイズが制限されること、及び明らかに第一期間Ｔ１の継続期間はデータパケットを完全に送信するように使うことができることを注意すべきである。
【発明の概要】
【発明が解決しようとする課題】
【００１３】
従来技術でのＤＣＦ方式はチャネルに接続するために、多元接続を調整することが可能である。また、チャンネルを占有するために各ステーションに対して優先順位が指定されない。その結果、全てのステーションが平等にチャンネルを占有することを保証する。言い換えれば、従来技術では、モバイルＡＰ１０１に外部接続される、内部ＡＰ１０２、内部ＳＴＡ１０３及び各ＳＴＡ（第一外部ＳＴＡ１０５、第二外部ＳＴＡ１０６、及び第三外部ＳＴＡ１０７）は、第一期間Ｔ１においてチャネル競合を行うＤＣＦ方式が適応される。
【００１４】
しかし、従来技術での内部ＡＰはチャネル競合に参加し、内部ＡＰがチャネルを無事に先取したときのみ、前記ＡＰは送信を行うことができる。このため、従来技術において内部ＡＰのデータ送信レートは低い。
【課題を解決するための手段】
【００１５】
本発明の一実施形態は、モバイルＡＰにおいて内部ＡＰのデータ送信レートを増加させるチャネル占有方法を提供する。
【００１６】
本発明の一実施形態は、モバイルＡＰにおいて内部ＡＰのデータ送信レートを増加させるモバイルＡＰ、及び外部ＳＴＡを提供する。
【００１７】
本発明の一実施形態は、モバイルＡＰにおいて内部ＡＰのデータ送信レートを増加させる外部ＳＴＡを提供する。
【００１８】
本発明の一実施形態の技術的解決法は以下のように実行される。
【００１９】
内部アクセスポイントＡＰ及び内部ステーションＳＴＡを備えるモバイルＡＰに適応されるチャネル占有方法が提供される。
ここでこの方法は、前記内部ＡＰにおいて事前にチャネル占有期間を設定するステップを備え、期間を占有する各チャネルは第一期間を備え、前記第一期間はＡＰチャネル占有期間を備える。
さらにこの方法は、前記内部ＡＰが、前記ＡＰチャネル占有期間の始端を検出したとき、データ送信を行うために前記ＡＰチャネル占有期間においてチャネルを独占的に占有するステップを備える。
【００２０】
ポータブルワイヤレスアクセスポイントＡＰ装置が提供され、前記モバイルＡＰは内部ＡＰ、及び内部ステーションＳＴＡを備える。前記内部ＳＴＡは外部ＡＰを介してインターネットへ接続し、前記内部ＡＰは前記内部ＳＴＡ、及び外部ＳＴＡを介してインターネットへ接続し、かつ内部ＡＰは第一設定モジュール、及び第一送信モジュールを備える。
【００２１】
第一設定モジュールは、内部ＡＰにおいて事前にチャネル占有期間を設定するために適応される。それぞれのチャネル占期間は第一期間を備え、第一期間はＡＰチャネル占有期間を備える。
【００２２】
第一送信モジュールは、前記チャネル占有期間を検出するために適応される。また、前記チャネル占有期間内でＡＰチャネル占有期間の始端が検出された時、データ送信のために前記ＡＰチャネル占有期間においてチャネルを独占的に占有する。
【００２３】
第三設定モジュール、及び第三送信モジュールを備える、外部ステーションＳＴＡが提供される。
【００２４】
第三設定モジュールは、前記外部ＳＴＡにおいてチャネル占有期間を事前に設定するために適応される。それぞれのチャネル占有期間は第一期間を備え、前記第一期間は競合期間を備える。
【００２５】
第三送信モジュールは、前記チャネル占有期間を検出するために適応される。また、前記チャネル占有期間内において前記競合期間の始端が検出されるとき、データ送信を行うために前記競合期間内でＤＣＦ(distributed coordination function DCF)方式をチャネル競合において採用する。
【００２６】
本発明の実施形態の技術的解決法によると、チャネル占有期間は、内部ＡＰにおいて事前に設定され、それぞれのチャネル占有期間は第一期間を備え、前記第一期間はＡＰチャネル占有期間を備える。前記ＡＰチャネル占有期間の始端を検出するとき、前記内部ＡＰは、データ送信を行うために前記ＡＰチャネル占有期間において独占的にチャネルを占有する。本発明の実施形態において、前記ＡＰチャネル占有期間は、前記内部ＡＰに捧げられるよう各チャネル占有期間において設定される。それとともに、前記内部ＡＰはチャネル競合への参加を行わずに済み、これによって前記内部ＡＰのデータ送信レートが増加する。
【図面の簡単な説明】
【００２７】
【図１】従来技術でのモバイルＡＰのブロック図である。
【図２】従来技術でのチャネル占有期間の概略図である。
【図３】本発明の一実施形態による、チャネル占有方法のフローチャートである。
【図４】本発明の一実施形態による、チャネル占有期間の概略図である。
【図５】本発明の一実施形態におけるモバイルＡＰのブロック図である。
【発明を実施するための形態】
【００２８】
本発明の技術的解決手段、及び利点のより良い理解という目的を達成するために、本発明の解決手段は、実施形態、及び添付の図を参照にして、以下でより詳細に説明される。
【００２９】
実施形態１
図３は、本発明の一実施形態による、チャネル占有方法のフローチャートである。この方法は以下のステップを備える。
【００３０】
ステップ３０１：内部ＡＰにおいて、事前にチャネル占有期間を設定する。各チャネル占有期間は第一期間Ｔ１、及び第二期間Ｔ２を備え、かつ、前記第一期間Ｔ１はＡＰチャネル占有期間（ＡＰＰ、アクセスポイント期間(Access Point Period)）を備える。
【００３１】
図４は、本発明の一実施形態によるチャネル占有期間の概略図である。図４は、1つのチャネル占有期間のみを示しているが、他のチャネル占有期間の構造も完全に同様である。図４に示されるように、チャネル占有期間は、第一期間Ｔ１、及び第二期間Ｔ２を備える。前記第一期間Ｔ１の継続時間、及び前記第二期間Ｔ２の継続期間は、従来技術の場合と同様であってよく、前記第二期間Ｔ２は遅延時間であり、第二期間Ｔ２終了後、プロセスは次のチャネル占有期間に入る。
【００３２】
従来技術では、第一期間Ｔ１において、モバイルＡＰ１０１に外部接続される、内部ＡＰ１０２、内部ＳＴＡ１０３、及び各ＳＴＡ（第一外部ＳＴＡ１０５、第二外部ＳＴＡ１０６、及び第三外部ＳＴＡ１０７）は、チャネル接続を行うためにＤＣＦ方式を適応させていた。
【００３３】
しかし、本発明の前記実施形態では、内部ＡＰ１０２は１つのグループタイプと見なされ、他の各ＳＴＡは他のグループと見なされる。ここで各ＳＴＡとは、内部ＳＴＡ１０３、第一外部ＳＴＡ１０５、第二外部ＳＴＡ１０６、及び第三外部ＳＴＡ１０７を含む。第一期間Ｔ１は二つのタイムセグメントに分割され、二つのタイムセグメントは、それぞれ二つのグループタイプのデータ送信のために使用される。具体的には、図４に示すように、第一期間Ｔ１はＡＰチャネル占有期間(APP）、及び競合期間(CP, Contention Period)を備え、かつ、前記ＡＰＰは、ＡＰ１０２が独占的にチャネルを享受するために使用される。即ち、前記ＡＰＰにおいて内部ＡＰ１０２が他の各ＳＴＡとチャネルのために競合する必要がなく、かつ、内部ＡＰ１０２はデータ送信を行うために独占的にチャネルを占有することができる。しかし、前記ＣＰにおいては、他の各ＳＴＡには従来技術でのＤＣＦ方式を引き続き採用する。
【００３４】
チャネル占有期間の設定は、メディアアクセス制御(MAC, Media Access Control)層で実行され、設定方法は以下のようである。
ＡＰチャネル占有期間の継続期間、競合期間の継続期間を外部ＳＴＡに基づいて設定するステップ。具体的には、仮に外部ＳＴＡの数が大きいときは、ＣＰ継続期間に対したＡＰＰ継続期間の比は大きく設定される。一方で、外部ＳＴＡの数が小さいときは、ＣＰの継続期間に対したＡＰＰ継続期間の比は小さく設定される。例えば、仮に外部ＳＴＡの数が一つの時では、ＡＰＰ継続期間のＣＰ継続期間に対した比は１：１に設定される。また、もし第一期間Ｔ１の継続期間が２０ミリ秒だと仮定すると、ＡＰＰ継続期間は１０ミリ秒と設定され、かつ、ＣＰ継続期間は１０ミリ秒と設定され得る。もし、外部ＳＴＡの数が１よりも大きい場合は、ＡＰＰ継続期間のＣＰ継続期間に対した比は３：２と設定され得る。さらに、もし第一期間Ｔ１の継続期間が２０ミリ秒だと仮定すると、ＡＰＰの継続期間は１２ミリ秒、またＣＰの継続期間は８ミリ秒と設定され得る。
【００３５】
さらに、前記設定はユーザー命令に基づいても実行され得る。具体的には、ユーザー命令が受信され、ユーザー命令はＡＰＰ継続期間、及びＣＰ継続期間を示し、それとともに、前記設定はユーザー命令に基づいて実行される。例えば、モバイルＡＰのユーザーインターフェイスにおいて、二つの入力ボックスをユーザーに提供することができ、ここで一つのボックスは、ユーザーが入力するＡＰＰ継続期間を受信するために使用され、もう一方のボックスは、ユーザーが入力するＣＰ継続期間を受信するために使用される。また、ＭＡＣ層において、ＡＰＰ継続期間、及びＣＰ継続期間が、前記入力ボックスにおいてユーザーによって入力された値に対応するようにそれぞれ設定される。明らかに、実際のアプリケーションにおいては、他の手段がユーザー命令を受信するように適応される可能性があり、ここでの例はただ例示として提供されたに過ぎない。
【００３６】
実際のアプリケーションでは、ユーザーにより実行される不適切な設定を防止するために、いくつかの選択種を提供することが可能であり、また、読み取り専用方式でユーザーに表示される。各選択種は、ユーザーへの選択を提供するＡＰＰ継続期間、及びＣＰ継続期間を示す。
【００３７】
ステップ３０２：内部ＡＰがＡＰＰの始端を検出したとき、ＡＰＰにおいてデータ送信を実行するようチャネル占有をする。
【００３８】
ＣＰの始端を検出したとき、他の各ＳＴＡは、ＣＰにおいてデータ送信を実行するようチャネルを先取し、また、チャネルを先取する方法はＤＣＦ方式で有り得る。
【００３９】
このステップにおいて、内部ＡＰは、ＡＰＰにおいてデータ送信を実行するようチャネルを独占的に享受でき、また、ＣＰにおいて内部ＡＰは、もはやチャネルを占有することはなく、他の各ＳＴＡは、チャネル競合を行うために従来技術でのＤＣＦ方式を適応されることは明らかである。
【００４０】
本発明の実施形態において、各チャネル占有期間は、内部ＡＰに捧げられるようＡＰＰを用いて設定されるので、内部ＡＰはチャネル競合への参加を省略し、これにより内部ＡＰのデータ送信レートが増加する。
【００４１】
一方、従来技術では、第一外部ＳＴＡ１０５、第二外部ＳＴＡ１０６、及び第三外部ＳＴＡ１０７が全て内部ＡＰ１０２へ外部接続され、それとともに、第一外部ＳＴＡ１０５、第二外部ＳＴＡ１０６、及び／または第三外部ＳＴＡ１０７が送信するために必要なデータパケットが、全て内部ＡＰ１０２を介して送信される必要がある。よって従来技術では、内部ＡＰ１０２の制限によって、各外部ＳＴＡは低いデータ送信レートを持つ。特に、外部ＳＴＡの数が多いとき、この問題が特に顕著に表れる。本発明の実施形態では、内部ＡＰのデータ送信レートが増加するので、モバイルＡＰへ外部接続されるＳＴＡのデータ送信レートも間接的に増加する。
【００４２】
ここまででプロセスを終了する。
【００４３】
本発明の本実施形態では、チャネル占有期間での第一期間Ｔ１は、二つの時間区分、ＡＰＰ、及びＣＰに分割される。モバイルＡＰ１０２内の内部ＡＰ１０２はチャネル競合に参加せず、ＡＰＰにおいてデータ送信を実行するようチャネルを独占的に享受する。しかし、ＣＰにおいては、モバイルＡＰ１０１内の内部ＡＰ１０２、及び内部ＡＰ１０３に外部接続されるＳＴＡには、チャネル接続を行うためにＤＣＦ方式が適応される。各チャネル占有期間は、内部ＡＰ１０２に捧げるようＡＰＰを用いて設定され、内部ＡＰ１０２は、チャネル競合への参加をせずに済み、その結果、内部ＡＰ１０２データ送信レートが増加することが明らかである。
【００４４】
実施形態２
図５は、前記チャネル占有方法の紹介を基礎にした、本発明の実施形態に基づくモバイルＡＰ、及び外部ＳＴＡのブロック図である。図５が示すように、モバイルＡＰ１０１は、内部ＡＰ１０２、及び内部ステーションＳＴＡ１０３を備える。内部ＳＴＡ１０３は外部ＡＰ１０４を介してインターネットへ接続をし、内部ＡＰ１０２は、少なくとも一つの外部ＳＴＡ（第一外部ＳＴＡ１０５、第二外部ＳＴＡ１０６、及び第三外部ＳＴＡ１０７）に接続され、それとともに外部ＳＴＡのインターネットへの接続を可能にする。
【００４５】
内部ＡＰ１０２は、第一設定モジュール５０１、及び第一送信モジュール５０２を備える。
【００４６】
第一設定モジュール５０１は、内部ＡＰにおいてチャネル占有期間を事前に設定するために適応され、各チャネル占有期間は第一期間を備え、前記第一期間はＡＰチャネル占有期間を備える。
【００４７】
前記第一送信モジュールは、チャネル占有期間を検出するために適応される。また、チャネル占有期間においてＡＰチャネル占有期間の始端が検出されたとき、データ送信を行うためにＡＰチャネル占有期間においてチャネルを独占的に占有する。
【００４８】
内部ＳＴＡ１０３は、第二設定モジュール５０３、及び第二送信モジュール５０４を備える。
【００４９】
第二設定モジュール５０３は、内部ＳＴＡ１０３においてチャネル占有期間を事前に設定するために適応され、各チャネル占有期間は第一期間を備え、前記第一期間はさらに競合期間を備える。
【００５０】
第二送信モジュール５０４はチャネル占有期間を検出するために適応される。また、チャネル占有期間においてチャネル競合期間の始端が検出されたとき、データ送信を行うために競合期間においてチャネル競合において、ＤＣＦ(distributed coordination function, DCF)方式を適応する。
【００５１】
前記装置は、さらに受信モジュール５０７を備える。
【００５２】
前記受信モジュール５０７は、外部命令を受信するために適応され、前記外部命令は、ＡＰチャネル占有期間の継続期間、及び競合期間の継続期間を指し示すために使用される。
【００５３】
第一設定モジュール５０１、及び第二設定モジュール５０３は、前記外部命令に基づいてＡＰチャネル占有期間の継続期間、及び競合期間の継続期間を設定する。
【００５４】
第三設定モジュール５０６、第三送信モジュール５０５を備える外部ステーションＳＴＡが提供される。
【００５５】
第三設定モジュール５０６は、外部ＳＴＡにおいてチャネル占有期間を事前に設定するために適応され、各チャネル占有期間は第一期間を備え、前記第一期間は競合期間を備える。
【００５６】
第三送信モジュール５０５は、チャネル占有期間を検出するために適応される。チャネル占有期間において競合期間の始端が検出されるとき、データ送信を行うために競合期間においてチャネルの競合でＤＣＦ方式(distributed coordination function, DCF)を適応する。
【００５７】
本発明の装置についての詳細な説明では、本発明の方法の説明箇所に対応する説明がされるので、ここでは繰り返し行わない。
【００５８】
総括すると、本発明の実施形態では、内部ＡＰにおいてチャネル占有期間は事前に設定され、各チャネル占有期間は第一期間を備え、前記第一期間はＡＰチャネル占有期間を備える。内部ＡＰがＡＰチャネル占有期間の始端を検出するとき、内部ＡＰは、データ送信を行うためにＡＰチャネル占有期間においてチャネルを独占的に占有する。本発明の実施形態において、ＡＰチャネル占有期間は、内部ＡＰに捧げるように各チャネル占有期間において設定され、内部ＡＰはチャネル競合への参加をせずに済み、これによって、内部ＡＰのデータ送信レートが増加する。
【００５９】
以上の説明は単に典型的な本発明の実施形態に過ぎず、本発明の保護範囲を限定する意図するものではない。本発明の本質から逸脱しないどんな改良、均等な置換、改良は全て本発明の保護範囲に含まれるべきである。
【符号の説明】
【００６０】
１０１  モバイルＡＰ
１０２  内部ＡＰ
１０３  内部ＳＴＡ
１０４  外部ＡＰ
１０５  第一外部ＳＴＡ
１０６  第二外部ＳＴＡ
１０７  第三外部ＳＴＡ
５０１  第一設定モジュール
５０２  第一送信モジュール
５０３  第二設定モジュール
５０４  第二送信モジュール
５０５  第三送信モジュール
５０６  第三設定モジュール
【図１】
0005472836.tif 000002
【図２】
0005472836.tif 000003
【図３】
0005472836.tif 000004
【図４】
0005472836.tif 000005
【図５】
0005472836.tif 000006